(57)【要約】【課題】通常時は貼紙防止シートとして使用し、災害発生時などに防災用品または救護用品を取り外し、使用することができるシートを提供する。【解決手段】シート１は、貼紙防止シート１０と、防災用品または救護用品とを備える。貼紙防止シート１０は、表面への貼紙の貼付を防止する。防災用品または救護用品は、厚さを５ｍｍ以下にされた状態で、貼紙防止シート１０の裏面に貼紙防止シート１０から取り外せるように設けられている。シート１は、防災用品として、袋２０などの容器と紐３０とを備えてもよい。【選択図】図２
0003217651.tif 000002
【実用新案登録請求の範囲】
【請求項１】
表面への貼紙の貼付を防止する貼紙防止シートと、
厚さを５ｍｍ以下にされた状態で、前記貼紙防止シートの裏面に前記貼紙防止シートから取り外せるように設けられた防災用品または救護用品と、
を備えるシート。
【請求項２】
前記防災用品としての容器と、紐とを備え、
前記容器は、
底と、底側端との間に貼付用領域が設けられ、
底側端の両端部において、底側端と前記貼紙防止シートの端とが重なるように貼り付けられ、
前記紐は、
一端に設けられた紐貼付部において、前記貼紙防止シートに貼り付けられ、
前記紐貼付部が設けられている端と前記貼紙防止シートの端とが重なっている
請求項１に記載のシート。
【考案の詳細な説明】
【技術分野】
【０００１】
本考案は、シートに関するものである。
【背景技術】
【０００２】
電柱などの屋外構築物に、違法な貼紙を防止する貼紙防止方法として、種々の技術が開示されている。例えば、特許文献１には、貼紙防止シートとして、表面に複数個の突起部を備えた合成樹脂シートが開示されている。
【先行技術文献】
【特許文献】
【０００３】
【特許文献１】登録実用新案第３２０２８０１号公報
【考案の概要】
【考案が解決しようとする課題】
【０００４】
地震などの災害、事故などが発生したときには、防災用品または救護用品を倉庫等の特定の保管場所から取出す必要がある。一方、災害発生時には、いたるところで防災用品または救護用品を必要とし、使用するためには特定の保管場所まで取りに行くという作業が発生するという問題があることを、考案者は見出した。
【０００５】
一方、貼紙防止シートは、多くの場所に設置された電柱、歩道橋の橋脚、配電盤の箱などの屋外構築物に貼付されている。このため、貼紙防止シートに防災用品または救護用品を組み合わせることで、災害発生時などに防災用品または救護用品を瞬時に使用することができることを考案者は発見した。
【０００６】
そこで、本考案は、以上の状況を鑑みなされたもので、貼紙防止シートに防災用品または救護用品を組み合わせたシートを提供することを目的の１つとする。他の目的については、以下の記載及び実施の形態の説明から理解することができる。
【課題を解決するための手段】
【０００７】
上記目的を達成するため、本考案に係るシートは、貼紙防止シートと、防災用品または救護用品とを備える。貼紙防止シートは、表面への貼紙の貼付を防止する。防災用品または救護用品は、厚さを５ｍｍ以下にされた状態で、貼紙防止シートの裏面に、貼紙防止シートから取り外せるように設けられている。
【考案の効果】
【０００８】
本考案によれば、災害発生時に、町中の構築物に貼付されている貼紙防止シートから防災用品または救護用品を取り外し、使用することができる。
【図面の簡単な説明】
【０００９】
【図１】実施の形態に係るシートの正面図である。
【図２】図１のシートの背面図である。
【図３】図２の袋を閉じて、紐で縛った状態を示す図である。
【図４】図１のシートを構築物に貼付した状態を示す図である。
【考案を実施するための形態】
【００１０】
（実施の形態）
実施の形態に係るシート１の形状を説明する。シート１は、図１に示すように、表面に印刷された貼紙防止シート１０を備える。貼紙防止シート１０の表面には、裏面に袋２０が設置されていることを示す表示が印刷されている。また、貼紙防止シート１０の表面には、紙、プラスチックなどで形成された貼紙が貼付されても短時間で剥がれるなど、貼紙を防止する加工が施されている。ここでは、貼紙を防止するように加工された貼紙防止シート１０の面を、表面と呼び、その裏側を裏面と呼ぶ。貼紙防止シート１０の表面において、一方の端部にはのりしろ１１が設けられている。考案の理解を容易にするため、貼紙防止シート１０ののりしろ１１が設けられている端部をのりしろ側端１０ｂと呼び、逆側の端部をのりしろ逆側端１０ｃと呼ぶ。貼紙防止シート１０の表面に印刷された表示に対する上方の端を上端１０ａと呼び、下方の端を下端１０ｄと呼ぶ。また、下端１０ｄから上端１０ａの方向を上方、上端１０ａから下端１０ｄの方向を下方と呼ぶ。
【００１１】
シート１の裏面には、図２に示すように、袋２０と、紐３０とを備える。袋２０は、一辺に物を出し入れできる開口部２１を有し、その他の辺である側端２０ａと、底側端２０ｂとは閉じられている。つまり、袋２０は、一辺に開口部２１が設けられた容器である。また、袋２０の底２２は、袋２０の底側端２０ｂから所定の距離だけ離れており、底側端２０ｂと底２２との間に貼付用領域２３を備える。袋２０は、ターポリン素材などの軽量で、耐久性が高く、丈夫な素材で形成されている。また、底２２は、ウェルダー加工などにより溶着されている。なお、貼付用領域２３は、１枚のシートで形成されていても、２枚のシートが重なって形成されていてもよい。
【００１２】
袋２０は、貼付用領域２３の底側端２０ｂの辺の両端部に袋貼付部２４が設けられている。袋貼付部２４において、貼紙防止シート１０の上端１０ａと袋２０の底側端２０ｂとが重なるように、袋２０は貼紙防止シート１０に貼り付けられている。また、袋２０は、貼紙防止シート１０から取り外せるように貼り付けられている。例えば、袋２０は貼紙防止シート１０に溶着されている。このため、災害発生時には、貼紙防止シート１０から袋２０を取り外し、防災用品として使用することができる。また、袋２０の開口部２１には、両面テープ２５が設けられている。このため、袋２０に砂、水などを入れ、両面テープ２５で開口部２１を閉じることで、災害発生時に土嚢、水嚢として袋を使用することができる。
【００１３】
紐３０は、一端に紐貼付部３０ａが設けられている。紐貼付部３０ａにおいて、紐貼付部３０ａが設けられた端と貼紙防止シート１０の上端１０ａとが重なるように、紐３０は貼紙防止シート１０に貼り付けられている。紐３０は、貼紙防止シート１０から取り外せるように貼り付けられている。例えば、紐３０は貼紙防止シート１０に溶着されている。このため、災害発生時には、貼紙防止シート１０から紐３０を取り外し、使用することができる。例えば、袋２０に砂、水などを入れた後に、図３に示すように、開口部２１を縛る。これにより、袋２０の運搬を容易にする。紐３０は、ターポリン素材などの軽量で、耐久性が高く、丈夫な素材で形成されている。
【００１４】
貼紙防止シート１０の裏面には、両面テープ貼付部１３（第１両面テープ貼付部１３−１、第２両面テープ貼付部１３−２）と、接着剤塗布部１４（第１接着剤塗布部１４−１、第２接着剤塗布部１４−２）とが設けられている。第１両面テープ貼付部１３−１は、袋２０と紐３０とが設けられている位置よりものりしろ側端１０ｂの方向に設けられ、貼紙防止シート１０の上端１０ａから下端１０ｄまで延びている。第１接着剤塗布部１４−１は、袋２０と紐３０とが設けられている位置よりものりしろ逆側端１０ｃの方向に設けられ、貼紙防止シート１０の上端１０ａから下端１０ｄまで延びている。また、第２両面テープ貼付部１３−２は、袋２０と紐３０とが設けられている位置の中央よりのりしろ側端１０ｂの方向に設けられ、袋２０と紐３０との下方から下端１０ｄまで延びている。第２接着剤塗布部１４−２は、袋２０と紐３０とが設けられている位置の中央よりのりしろ逆側端１０ｃの方向に設けられ、袋２０と紐３０との下方から下端１０ｄまで延びている。
【００１５】
（シートを構築物に貼り付ける方法）
シート１を構築物に貼り付けるときは、両面テープ貼付部１３に両面テープを張り付け、接着剤塗布部１４に接着剤を塗布する。これらの粘着力と接着力とを用いて、シート１を構築物に貼り付ける。また、図４に示すように、電柱などの柱状構築物２に巻き付けるときには、のりしろ逆側端１０ｃをのりしろ１１に両面テープなどで貼り付ける。つまり、のりしろ１１において、シート１は２重になる。なお、両面テープは、接着剤の接着力よりも粘着力が低いものを用いる。
【００１６】
このため、災害発生時には、のりしろ逆側端１０ｃをシート１ののりしろ１１から剥がす。その後、のりしろ側端１０ｂからのりしろ逆側端１０ｃの方向に貼紙防止シート１０を剥がし、袋２０を貼紙防止シート１０から取り外す。つまり、２重になっている部分の表面側のシート１（のりしろ逆側端１０ｃ）を剥がし、その後、２重になっていた部分の構築物側のシート１（のりしろ側端１０ｂ）から剥がしていく。貼紙防止シート１０は、両面テープ貼付部１３と接着剤塗布部１４において、構築物に貼り付けられている。そこで、袋２０を取り外すために、袋２０よりものりしろ側端１０ｂの方向に、両面テープ貼付部１３が設けられている。両面テープは接着剤の接着力よりも粘着力が低いため、災害発生時には袋２０を取り外しやすい。
【００１７】
以上のように、貼紙防止シート１０の裏面に袋２０を設けることで、災害発生時には、電柱などの町中に多く配置されている構築物に貼り付けてあるシート１から袋２０を取り外して、瞬時に防災用品として使用することができる。また、シート１は、貼紙防止シート１０として構築物に貼り付けられているため、倉庫等の特別な保管場所を必要としない。袋２０は、貼紙防止シート１０が構築物に貼付されているときに、開口部２１が下方、つまり底側端２０ｂが上方になるように貼り付けられている。言い換えると、袋２０は、貼紙防止シート１０の表面に印刷されている表示に対して開口部２１が下方になるように貼り付けられている。このため、貼紙防止シート１０が構造物に貼付されているときに、雨水が袋２０の内部に入ることを防止できる。さらに、袋２０は、底２２と底側端２０ｂとの間に、貼紙防止シート１０に貼り付けるための貼付用領域２３設けられている。これにより、貼紙防止シート１０から袋２０を取り外すときに、袋２０に穴が開くことを防止することができる。
【００１８】
（変形例）
上記実施の形態では、貼紙防止シート１０の表面に印刷されている例を示したが、表面は印刷されておらず、無地のものでもよい。また、のりしろ１１は、シート１を貼り付ける構築物に応じて、設けなくてもよい。
【００１９】
また、袋２０は、貼紙防止シート１０の裏面に溶着されて直接貼り付ける例を示したが、これに限定されない。袋２０は、貼紙防止シート１０の裏面に、貼紙防止シート１０から取り外せるように設けられていれば、種々の方法を選択することができる。例えば、貼紙防止シート１０の裏面に、袋２０が紐等で貼り付けられていてもよい。また、貼紙防止シート１０の裏面に、横方向に開口部を有するポケットを設け、このポケットに袋２０を収納してもよい。
【００２０】
また、袋２０は、開口部２１が下方になるように設けられている例を示したが、袋２０の内部に雨水が入らなければ、種々の方法を選択することができる。例えば、袋２０を貼り付ける位置の上方に、上側を貼紙防止シート１０に貼り付けた雨水防止シートを設けてもよい。これにより、上方からの雨水は、雨水防止シートで遮られ、袋２０の内部に入るのを防止する。
【００２１】
また、紐３０は、袋２０を縛るために設けられている例を示したが、これに限定されない。紐３０は、それ自体が防災用品として、物を固定するのに用いてもよい。また、貼紙防止シート１０の裏面には、防災用品として、シートが設けられてもよい。床、地面などが汚れている場合に、貼紙防止シート１０からシートを取り外し、このシートを床、地面に敷いて使用する。つまり、貼紙防止シート１０の裏面には、袋２０、紐３０、シートなどの防災用品を貼り付けてもよい。また、事故が発生したときに利用できるタンカなどの救護用品を設けてもよい。この防災用品または救護用品は、貼紙防止シート１０に設けられているときの厚さが薄いものが好適である。例えば、その厚さを５ｍｍ以下にされた状態で、防災用品または救護用品を貼紙防止シート１０の裏面に設けてもよい。なお、防災用品または救護用品には、防災または救護に使用することができる任意の物品が含まれる。
【００２２】
袋２０は、底側端２０ｂが貼紙防止シート１０の上端１０ａと重なるように貼り付けられている例を示したが、これに限定されない。貼紙防止シート１０の裏面に袋２０が張り付けてあればよく、袋２０を任意の位置に貼り付けてもよい。
【００２３】
紐３０も、一端が貼紙防止シート１０の上端１０ａと重なるように貼り付けられている例を示したが、これに限定されない。貼紙防止シート１０の裏面に紐３０が張り付けてあればよく、紐３０を任意の位置に貼り付けてもよい。
【００２４】
シート１を構築物に貼り付けるために、両面テープと接着剤とを用いる例を示したが、これに限定されない。袋２０よりものりしろ逆側端１０ｃの方向では、接着後に剥がすことができれば、任意の方法を選択することができる。また、両面テープ貼付部１３と、接着剤塗布部１４との大きさ、位置などは、シート１が構築物に貼り付けられ、災害発生時に袋２０と紐３０とを取り外せることができれば、任意に選択することができる。また、両面テープ貼付部１３と接着剤塗布部１４とは、構築物に貼り付けるときに、必要に応じて設けてもよい。
【００２５】
以上において説明した形状は一例であり、貼紙防止シート１０、袋２０、紐３０などの形状は、機能を阻害しない範囲で変更してもよい。また、説明した構成は、機能を阻害しない範囲で、任意に変更してもよい。例えば、袋２０の開口部に両面テープを設けなくてもよい。
【符号の説明】
【００２６】
１  シート、  ２  柱状構築物、  １０  貼紙防止シート、  １０ａ  上端、
１０ｂ  のりしろ側端、  １０ｃ  のりしろ逆側端、  １０ｄ  下端、
１１  のりしろ、  １３  両面テープ貼付部、  １３−１  第１両面テープ貼付部、
１３−２  第２両面テープ貼付部、  １４  接着剤塗布部、
１４−１  第１接着剤塗布部、  １４−２  第２接着剤塗布部、  ２０  袋、
２０ａ  側端、  ２０ｂ  底側端、  ２１  開口部、  ２２  底、
２３  貼付用領域、  ２４  袋貼付部、  ２５  両面テープ、
３０  紐、  ３０ａ  紐貼付部
【図１】
0003217651.tif 000003
【図２】
0003217651.tif 000004
【図３】
0003217651.tif 000005
【図４】
0003217651.tif 000006